(57)【要約】【課題】本発明は、手摺取付施工を簡素化できる手摺取付施工治具及び手摺取付装置並びに手摺取付施工方法の提供を目的とする。【解決手段】手摺取付施工治具６は、手摺保持部３が組み付けられる前の状態のブラケット本体２に着脱自在に固定されることが可能なブラケット固定部６２と、メジャーＭの端部に設けられた係止片Ｍ１を係脱自在に係止し得るメジャー係止部６３とを備えている。メジャー係止部６３は、手摺保持部３に手摺１１０の端部が保持された際に当該手摺１１０の端面が配置される手摺端面配置部３１３に位置する。【選択図】図６
2018150687.tif 000002
【特許請求の範囲】
【請求項１】
棒状の手摺の端部を保持する手摺保持部と、前記手摺保持部が組み付けられるブラケット本体とを有する手摺ブラケットを用いて、前記手摺を建材部に取付施工する際に使用される手摺取付施工治具であって、
前記建材部に取り付けられ、且つ、前記手摺保持部が組み付けられる前の状態の前記ブラケット本体に、着脱自在に固定されるブラケット固定部と、
前記ブラケット固定部によって前記ブラケット本体に固定された状態で、メジャーの端部に設けられた係止片を係脱自在に係止し得るメジャー係止部と、を備え、
前記メジャー係止部は、前記手摺保持部に前記手摺の端部が保持された際に当該手摺の端面が配置される手摺端面配置部に位置する、ことを特徴とする手摺取付施工治具。
【請求項２】
前記ブラケット固定部は、前記ブラケット本体の一部に嵌合する第１嵌合部と、前記ブラケット本体における前記一部と距離を隔てた他の一部に嵌合する第２嵌合部とを備えていることを特徴とする請求項１記載の手摺取付施工治具。
【請求項３】
前記手摺ブラケットは、前記手摺保持部の一部を覆うように前記ブラケット本体に組み付けられる本体被覆カバーを、更に備え、
前記ブラケット本体は、前記手摺保持部を組み付けるための手摺保持部用組み付け部と、前記本体被覆カバーを組み付けるための本体被覆カバー用組み付け部とを備え、
前記第１嵌合部は、前記本体被覆カバー用組み付け部に嵌合するものであり、
前記第２嵌合部は、前記手摺保持部用組み付け部に嵌合するものであることを特徴とする請求項２記載の手摺取付施工治具。
【請求項４】
前記手摺保持部は、前記手摺の端部を保持する手摺保持部本体と、前記手摺保持部本体を前記ブラケット本体に組み付けるための組付部材とを備え、
前記手摺保持部本体と前記組付部材とは、所定の軸回りに回動し得るように互いに回動自在に組み付けられており、
前記手摺端面配置部は、前記軸を含む平面であり、
前記メジャー係止部は、前記ブラケット本体に対する前記軸に略一致する位置に配置されていることを特徴とする請求項１〜３のいずれか一項に記載の手摺取付施工治具。
【請求項５】
前記ブラケット固定部を支持した施工治具本体を、更に備え、
前記施工治具本体は、前記メジャーを引っ掛ける引っ掛け片と、前記引っ掛け片を支持した支持片とを備え、
前記メジャー係止部は、前記引っ掛け片の先端に形成されており、
前記引っ掛け片の基端と前記支持片とは、鋭角をなして前記引っ掛け片と前記支持片との間に空間部が形成されるように連結されていることを特徴とする請求項１〜４のいずれか一項に記載の手摺取付施工治具。
【請求項６】
請求項１〜５の何れか一項に記載の手摺取付施工治具と
手摺の端部を保持する手摺保持部と、前記手摺保持部が組み付けられるブラケット本体であってかつ前記手摺保持部が組み付けられる前の状態で、前記手摺取付施工治具のブラケット固定部が着脱自在に固定されることが可能なブラケット本体とを有する手摺ブラケットと、
を備えていることを特徴とする手摺取付装置。
【請求項７】
請求項６に記載の手摺取付装置を用いて手摺を建材部に取付施工する手摺取付施工方法であって、
２つの前記手摺取付装置を準備する工程と、
前記２つの手摺取付装置の前記手摺ブラケットそれぞれの前記ブラケット本体を前記建材部に取り付ける工程と、
前記建材部に取り付けた前記ブラケット本体それぞれに前記ブラケット固定部によって前記手摺取付施工治具を固定する工程と、
一方の前記手摺取付施工治具のメジャー係止部に、メジャーの端部に設けられた係止片を係止させて他方の前記手摺取付施工治具のメジャー係止部までの距離を測定する工程と、
前記測定した距離に基づいて手摺を所定の長さに形成する工程と、
前記手摺ブラケットそれぞれから前記手摺取付施工治具を取り外し、前記形成した前記手摺を、前記２つの手摺ブラケットそれぞれの前記手摺保持部で保持させるとともに、前記それぞれの前記手摺保持部を前記手摺ブラケットそれぞれに組み付ける工程と、
を備えていることを特徴とする手摺取付施工方法。
【発明の詳細な説明】
【技術分野】
【０００１】
本発明は、手摺ブラケットを用いて手摺を建材部に取り付ける際に使用する手摺取付施工治具及び手摺取付装置並びに手摺取付施工方法に関するものである。
【背景技術】
【０００２】
従来から、棒状の手摺を建材部に取り付ける手摺ブラケットが知られており、例えば特許文献１に開示されたものがある。この特許文献１に開示された手摺ブラケット１００は、図１５に示すように、棒状の手摺１１０の端部を覆う形で収容するように保持する手摺保持部１０２と、前記手摺保持部１０２が組み付けられるブラケット本体１０１とを備えている。また、手摺保持部１０２は、当該手摺保持部１０２に前記手摺１１０の端部を保持した際に前記手摺１１０の端部の端面を配置する手摺端面配置部の位置に、メジャーＭの端部に設けられた係止片Ｍ１を係止する係止用孔１０３を備えている。そして、この手摺ブラケット１００によって棒状の手摺を壁面（建材部）に次のようにして取り付ける。
【０００３】
例えば図１５に示すように２つの手摺ブラケット１００を、壁面１２０における所定距離だけ離れた２箇所に取り付け、それらのブラケット本体１０１それぞれに手摺保持部１０２を、図示しない連結軸を介して一旦、仮組み付けする。そして、２つの手摺ブラケット１００におけるいずれか一方の手摺保持部１０２の係止用孔１０３に、メジャーＭの係止片Ｍ１を入れ、他方の手摺保持部１０２の係止用孔１０３までの距離Ｌ１０を測定する（図１５では、図の右側に表した手摺保持部１０２の係止用孔１０３にメジャーＭの係止片Ｍ１を係止した場合を示している）。
【０００４】
次に、測定した距離Ｌ１０に基づいて、手摺１１０の端部をカットとして手摺を長さ調整する。その後、ブラケット本体１０１それぞれに組み付けた手摺保持部１０２をブラケット本体１０１それぞれから取り外した状態にする。そして、各手摺保持部１０２に手摺１１０の端部それぞれを収納させ、その収納させた状態で、各手摺保持部１０２をブラケット本体１０１それぞれに再度組み付ける。このようにして手摺１１０を手摺ブラケット１００によって建材部としての壁面１２０に取り付ける。
【０００５】
このように手摺の取付施工を行うことで、手摺端面配置部が手摺保持部１０２の内部に形成されて外部から見難い場合でも、２つの手摺ブラケット１００に収容した際の手摺端面配置部同士の距離Ｌ１０をメジャーで容易に測定でき、しかも、一方の手摺ブラケット１００における手摺端面配置部の位置に形成した係止用孔１０３にメジャーＭの係止片を係止して他方の手摺ブラケット１００における手摺端面配置部の位置に形成した係止用孔１０３までの距離を１人の作業者で測定することができる。
【先行技術文献】
【特許文献】
【０００６】
【特許文献１】特許第５７５８１５９号公報
【発明の概要】
【発明が解決しようとする課題】
【０００７】
しかしながら、特許文献１のものでは、２つの手摺ブラケット１００に収容した際の手摺端面配置部同士の距離Ｌ１０をメジャーで測定する場合、ブラケット本体１０１それぞれに手摺保持部１０２を一旦組み付けして行わなければならない。そのため、手摺取付施工の工程が多くなってしまい、施工に時間を要するものになっている。詳しくは、ブラケット本体１０１それぞれに手摺保持部１０２を連結軸によって仮組み付けし、手摺端面配置部同士の距離Ｌ１０をメジャーで測定した後に仮組み付けした手摺保持部１０２をブラケット本体１０１それぞれから外す。そして、上記距離Ｌ１０に基づいて長さ調整した手摺１１０の端部を各手摺保持部１０２それぞれに収納させた状態で、各手摺保持部１０２をブラケット本体１０１それぞれに再度組み付けなければならない。
【０００８】
本発明は、手摺の長さ調整を行う際に、ブラケット本体に手摺保持部を組み付けしていない状態で寸法測定を行うことができ、手摺取付施工を簡素化できる手摺取付施工治具及び手摺取付装置並びに手摺取付施工方法の提供を目的とする。
【課題を解決するための手段】
【０００９】
上記課題を解決するため、本発明は、棒状の手摺の端部を保持する手摺保持部と、前記手摺保持部が組み付けられるブラケット本体とを有する手摺ブラケットを用いて、前記手摺を建材部に取付施工する際に使用される手摺取付施工治具であって、前記建材部に取り付けられ、且つ、前記手摺保持部が組み付けられる前の状態の前記ブラケット本体に、着脱自在に固定されるブラケット固定部と、前記ブラケット固定部によって前記ブラケット本体に固定された状態で、メジャーの端部に設けられた係止片を係脱自在に係止し得るメジャー係止部と、を備え、前記メジャー係止部は、前記手摺保持部に前記手摺の端部が保持された際に当該手摺の端面が配置される手摺端面配置部に位置することを特徴とする手摺取付施工治具を提供するものである。
【００１０】
この手摺取付施行治具によれば、例えば使用する２つの手摺ブラケットそれぞれのブラケット本体が建材部に取り付けられ、且つ、手摺保持部が組み付けられる前の状態で、それらの各ブラケット本体に当該手摺取付施工治具を固定し、その固定状態で、各手摺取付施工治具のメジャー係止部同士の距離を測定する。その際、メジャー係止部が手摺の端部を保持した際に手摺の端部の端面を配置する手摺端面配置部に配置されているため、それらの２つの手摺取付施工治具のメジャー係止部同士の距離を測定することで、２つの手摺ブラケットの手摺端面配置部同士の距離を測定したことになる。
【００１１】
従って、２つの手摺ブラケットの手摺端面配置部同士の距離、即ち、２つの手摺ブラケットに取り付ける手摺の長さ寸法を、ブラケット本体に手摺保持部を組み付けしていない状態で測定できる。よって、ブラケット本体に手摺保持部を仮組み付けすることなく手摺の長さ調整を行うことができ、手摺取付施工を簡素化でき、手摺取付施工を従来よりも短時間で行うことができる。
【００１２】
前記ブラケット固定部は、前記ブラケット本体の一部に嵌合する第１嵌合部と、前記ブラケット本体における前記一部と距離を隔てた他の一部に嵌合する第２嵌合部とを備えている構成とできる。
【００１３】
ブラケット固定部は第１嵌合部と第２嵌合部とを備えているため、上記構成によれば、ブラケット固定部によって手摺取付施工治具をブラケット本体に容易に、しかも、確実に固定状態にできる。
【００１４】
前記手摺ブラケットは、前記手摺保持部の一部を覆うように前記ブラケット本体に組み付けられる本体被覆カバーを、更に備え、前記ブラケット本体は、前記手摺保持部を組み付けるための手摺保持部用組み付け部と、前記本体被覆カバーを組み付けるための本体被覆カバー用組み付け部とを備え、前記第１嵌合部は、前記本体被覆カバー用組み付け部に嵌合するものであり、前記第２嵌合部は、前記手摺保持部用組み付け部に嵌合するものである構成とできる。
【００１５】
この構成によれば、本体被覆カバー用組み付け部が第１嵌合部に嵌合される被嵌合部として利用され、手摺保持部用組み付け部が第２嵌合部に嵌合される被嵌合部として利用される。これにより、ブラケット本体に、第１嵌合部及び第２嵌合部に嵌合される被嵌合部を別途に形成する必要のないものにできる。したがって、従来のブラケット本体にも本発明の手摺取付施工治具を使用でき、使用範囲の広いものにできる。
【００１６】
前記手摺保持部は、手摺の端部を保持する手摺保持部本体と、前記手摺保持部本体を前記ブラケット本体に組み付けるための組付部材とを備え、前記手摺保持部本体と前記組付部材とは、所定の軸回りに回動し得るように互いに回動自在に組み付けられており、前記手摺端面配置部は、前記軸を含む平面であり、前記メジャー係止部は、前記ブラケット本体に対する前記軸に略一致する位置に配置されている構成とできる。
【００１７】
この構成によれば、メジャー係止部はブラケット本体に対する手摺保持部本体の回動の軸に略一致するように配置されている。これにより、ブラケット本体に対して手摺保持部本体が回動しても回動の軸の位置は変わらないため、メジャー係止部はブラケット本体に対する手摺保持部本体の回動位置にかかわらずに常時手摺端面配置部と対応した位置になる。したがって、ブラケット本体に対して手摺保持部本体が回動する場合でも、２つの手摺取付施工治具のメジャー係止部同士の距離が２つの手摺ブラケットの手摺端面配置部同士の距離と同じになる。
【００１８】
前記ブラケット固定部を支持した施工治具本体を、更に備え、前記施工治具本体は、前記メジャーを引っ掛ける引っ掛け片と、前記引っ掛け片を支持した支持片とを備え、前記メジャー係止部は、前記引っ掛け片の先端に形成されており、前記引っ掛け片の基端と前記支持片とは、鋭角をなして前記引っ掛け片と前記支持片との間に空間部が形成されるように連結されている構成とできる。
【００１９】
この構成によれば、メジャー係止部に係止したメジャーの係止片が空間部に入り込み可能となる。これにより、メジャーの係止片をメジャー係止部に回動自在に係止させることができる。したがって、例えばブラケット本体に対して手摺保持部本体が回動して手摺保持部本体の向きが変わるような場合でも、係止片を回動させてメジャーを手摺保持部本体の向きに沿って配置して測定できる。
【００２０】
また、本発明は、上述の何れかの手摺取付施工治具と、手摺の端部を保持する手摺保持部と前記手摺保持部が組み付けられるブラケット本体であってかつ前記手摺保持部が組み付けられる前の状態で、前記手摺取付施工治具のブラケット固定部が着脱自在に固定されることが可能なブラケット本体とを有する手摺ブラケットと、を備えていることを特徴とする手摺取付装置を提供するものである。
【００２１】
この手摺取付装置によれば、２つの手摺取付施工治具のメジャー係止部同士の距離を２つの手摺ブラケットの手摺端面配置部同士の距離と同じにできる。これにより、２つの手摺ブラケットの手摺端面配置部同士の距離、即ち、２つの手摺ブラケットに取り付ける手摺の長さ寸法を、ブラケット本体に手摺保持部を組み付けしていない状態で測定できる。したがって、ブラケット本体に手摺保持部を仮組み付けすることなく手摺の長さ調整を行うことができ、手摺取付施工を簡素化でき、手摺取付施工を従来よりも短時間で行うことができる。
【００２２】
また、本発明は、上記の手摺取付装置を用いて手摺を建材部に取付施工する手摺取付施工方法であって、２つの前記手摺取付装置を準備する工程と、前記２つの手摺取付装置の前記手摺ブラケットそれぞれの前記ブラケット本体を前記建材部に取り付ける工程と、前記建材部に取り付けた前記ブラケット本体それぞれに前記ブラケット固定部によって前記手摺取付施工治具を固定する工程と、一方の前記手摺取付施工治具のメジャー係止部に、メジャーの端部に設けられた係止片を係止させて他方の前記手摺取付施工治具のメジャー係止部までの距離を測定する工程と、前記測定した距離に基づいて手摺を所定の長さに形成する工程と、前記手摺ブラケットそれぞれから前記手摺取付施工治具を取り外し、前記形成した前記手摺を、前記２つの手摺ブラケットそれぞれの前記手摺保持部で保持させるとともに、前記それぞれの前記手摺保持部を前記手摺ブラケットそれぞれに組み付ける工程とを備えていることを特徴とする手摺取付施工方法を提供するものである。
【００２３】
この方法によれば、例えば使用する２つの手摺ブラケットそれぞれのブラケット本体が建材部に取り付けられ、且つ、前記手摺保持部が組み付けられる前の状態で、それらの各ブラケット本体に手摺取付施工治具を、ブラケット固定部によって固定し、その固定状態で、各ブラケット本体に固定した手摺取付施工治具のメジャー係止部同士の距離を測定する。その際、メジャー係止部が手摺の端部を保持した際に手摺の端部の端面を配置する手摺端面配置部と対応する位置に配置されているため、それらの２つの手摺取付施工治具のメジャー係止部同士の距離を測定することにより、２つの手摺ブラケットの手摺端面配置部同士の距離を測定したことになる。
【００２４】
従って、２つの手摺ブラケットの手摺端面配置部同士の距離、即ち、２つの手摺ブラケットに取り付ける手摺の長さ寸法を、ブラケット本体に手摺保持部を組み付けしていない状態で測定できる。よって、ブラケット本体に手摺保持部を仮組み付けすることなく手摺の長さ調整を行うことができ、手摺取付施工を簡素化でき、手摺取付施工を従来よりも短時間で行うことができる。
【発明の効果】
【００２５】
本発明によれば、手摺ブラケットで手摺を保持した際の手摺ブラケットにおける手摺端面配置部に基づいて距離を測定する場合に、ブラケット本体に手摺保持部を組み付けしていない状態で行うことができ、手摺取付施工を簡素化できる。
【図面の簡単な説明】
【００２６】
【図１】本発明の第１実施形態の手摺取付装置の手摺ブラケットの分解斜視図である。
【図２】（ａ）は、図１の手摺ブラケットの正面図、（ｂ）は、図２（ａ）の平面図、（ｃ）は、図２（ａ）の側面図である。
【図３】図１の手摺ブラケットの断面図である。
【図４】図１の手摺ブラケットにおける支持部の平面図である。
【図５】図１の手摺ブラケットにおける手摺保持部の手摺保持部本体の斜視図である。
【図６】本発明の第１実施形態の手摺取付装置の手摺取付施工治具と手摺ブラケットのブラケット本体との斜視図である。
【図７】第１実施形態の手摺取付施工治具が手摺ブラケットのブラケット本体に固定された状態の斜視図である。
【図８】図６の要部の拡大断面図である。
【図９】２つの手摺ブラケットそれぞれのブラケット本体に手摺取付施工治具を固定し、それらの固定した手摺取付施工治具のメジャー係止部同士の距離を測定する際の説明図である。
【図１０】本発明の第２実施形態の手摺取付装置の手摺ブラケットの分解斜視図である。
【図１１】（ａ）は、図１０の第２実施形態の手摺ブラケットの正面図、（ｂ）は、図１０（ａ）の平面図、（ｃ）は、図１０（ａ）その側面図である。
【図１２】本発明の第２実施形態の手摺取付装置の手摺取付施工治具を手摺ブラケットのブラケット本体に固定した状態の斜視図である。
【図１３】本発明の第１実施形態及び第２実施形態の手摺ブラケットそれぞれのブラケット本体に手摺取付施工治具を固定し、それらの固定した手摺取付施工治具のメジャー係止部同士の距離を測定する際の説明図である。
【図１４】本発明の第１実施形態及び第２実施形態の手摺ブラケットによって手摺を壁面に取付施工を施した状態の斜視図である。
【図１５】従来例の説明図である。
【発明を実施するための形態】
【００２７】
以下、本発明を実施するための形態について、図面を参照しながら詳細に説明する。図１は、本発明の第１実施形態の手摺取付装置の手摺ブラケットの分解斜視図、図２（ａ）は、図１の手摺ブラケットの正面図、図２（ｂ）は、図２（ａ）の平面図、図２（ｃ）は、図２（ａ）の側面図である。図３は、図１の手摺ブラケットの断面図、図４は、図１の手摺ブラケットにおける支持部の平面図、図５は、図１の手摺ブラケットにおける手摺保持部本体の斜視図である。また、図６は、第１実施形態の手摺取付装置の手摺取付施工治具と手摺ブラケットのブラケット本体との斜視図である。
【００２８】
第１実施形態の手摺取付装置は、図１〜図３に示す手摺ブラケット１と、図６〜図８に示す手摺取付施工治具６とを備えている。
【００２９】
この手摺ブラケット１は、棒状の手摺１１０（図１４に図示）を、建材部としての壁面１２０に取り付けるためのものである。この手摺ブラケット１は、例えば図１４に示すように平面状の壁面１２０に手摺１１０を任意の角度で保持するものである。
【００３０】
この手摺ブラケット１は、図１〜図３に示すようにブラケット本体２と、手摺１１０の端部１１１を保持する一対の手摺保持部３と、本体被覆カバー４とを備えている。
【００３１】
ブラケット本体２は、手摺保持部３を支持する支持部５と、支持部５を壁面に取り付ける壁面取付部７とを備えている。
【００３２】
壁面取付部７は、前面に開口７１ａを有する取付部本体７１と、取付部本体７１に着脱自在に取り付けられて開口７１ａを覆う蓋体７２とを備えている。取付部本体７１は、後面側に、壁面１２０に固定される壁面固定部７３を備えている。
【００３３】
この壁面固定部７３は、開口７１ａから、１つの位置決めボルト７４と２つの取付用ボルト７５とで壁面１２０に固定されるようになっている。
【００３４】
支持部５は、半円筒状のものからなり、その中心部にボルト挿通孔（本体被覆カバー用組み付け部）５１１を備えている。ボルト挿通孔５１１は、支持部５と本体被覆カバー４とを連結するカバー連結ボルト５０を挿通するためのものであり、この実施形態では、ボルト挿通孔５１１は、支持部５の中心部に形成された円筒部５１２の孔からなる。
【００３５】
また、支持部５は、両端部それぞれに、後述の手摺保持部３の組付部材５２を固定する組付部材固定部５１を両端に備えている。２つの組付部材固定部５１は、互いに同一の構成を採っている。
【００３６】
各組付部材固定部５１は、固定用溝（手摺保持部用組み付け部）５１３ａと、組付部材受け部５１３ｂとを備えている。固定用溝５１３ａは、図４に示すように、平面視で略コの字状を呈しており、後述の組付部材５２の固定片５２１を嵌挿し得るように形成されている。
【００３７】
組付部材受け部５１３ｂは、後述の組付部材５２の摺動部５２２を支持部５の内方側から受ける部分である。
【００３８】
このように形成された支持部５は、壁面取付部７に取付ボルト７１３によって組み付けられている。
【００３９】
一対の手摺保持部３は、互いに同一の構成を採っている。各手摺保持部３は、手摺保持部本体３０と、手摺保持部本体３０をブラケット本体２に組み付ける組付部材５２とを備えている。
【００４０】
各組付部材５２は、図１、図３に示すように、組付部材固定部５１に組み付けられるように形成されており、支持部５に組付部材５２を固定するための固定片５２１と、手摺保持部本体３０を摺動させる摺動部５２２とを備えている。
【００４１】
固定片５２１は、固定用溝５１３ａに嵌り込み得る厚さ及び平面視で略コの字状を呈する形状の板状体からなる。この実施形態では、固定片５２１は、支持部５側の第１固定片５２１ａと、本体被覆カバー４側の第２固定片５２１ｂとからなる。
【００４２】
第１固定片５２１ａは、支持部５の固定用溝５１３ａに嵌り込み、第２固定片５２１ｂは、本体被覆カバー４に設けられた後記固定用溝４１３ａに嵌り込むように形成されている。
【００４３】
摺動部５２２は、パラボラ状に形成されており、突設された一方側の端部が固定片５２１と一体成形によって連結されている。
【００４４】
また、摺動部５２２は、凹設された他方側に、手摺保持部３を摺動させる摺動面５２２ａを備えている。この摺動面５２２ａは、１つの曲率中心を有する円弧面からなる。
【００４５】
また、組付部材５２は、中心部に、固定片５２１から摺動部５２２に亘って貫通するボルト挿通孔５２３を備えている。
【００４６】
手摺保持部本体３０は、半球状部３２と、半球状部３２と一体成形によって連結された円筒部３３とから構成されている。
【００４７】
半球状部３２は、外周面が組付部材５２における摺動部５２２の摺動面５２２ａに面接触し得るように摺動面５２２ａと略同形状に形成されている。また、半球状部３２は、一方端部に、外周から内周に貫通する長孔３２１を備えている。この長孔３２１は、所定幅で、図の上下方向に沿って所定長さで形成されている。
【００４８】
また、半球状部３２は、図５に示すように、他方端部における内周側に、手摺１１０の端面１１１ａを当て止めする当て止め部３１２を備えている。
【００４９】
円筒部３３は、内周に、手摺１２０を収納する手摺収納部３３１を備え、図３に示すように、この手摺収納部３３１に、手摺１１０の端部１１１が当て止め部３１２に当るまで収納されて保持される。したがって、手摺保持部３における当て止め部３１２の位置が手摺保持部３における、手摺１１０の端面１１１ａを配置する手摺端面配置部３１３となる。また、手摺端面配置部３１３の中心Ｏが半球状部３２の曲率中心と一致し、手摺端面配置部３１３は、半球状部３２の曲率中心を含む円形状の平面である。
【００５０】
このように構成された手摺保持部本体３０は、半球状部３２が組付部材５２の摺動面５２２ａに球面状のワッシャー３４を介して面接触され、その状態で、保持部連結ボルト３５及びネジワッシャー３７によって組付部材５２に摺動可能に連結されている。
【００５１】
より詳しくは、保持部連結ボルト３５は、頭部３５１とオネジ部３５２の間に、長孔３２１に移動可能且つ回転不能に嵌挿する四角柱状の長孔嵌挿部３５３を備えている。そして、この保持部連結ボルト３５が、手摺収納部３３１側から長孔３２１、組付部材５２のボルト挿通孔５２３に挿通され、ボルト挿通孔５２３から出た保持部連結ボルト３５のオネジ部３５２にナット３６が締結され、これにより、手摺保持部本体３０が組付部材５２に連結されている。
【００５２】
そして、ナット３６が緩んだ状態で、手摺保持部本体３０は、保持部連結ボルト３５の長孔嵌挿部３５３に案内されて手摺端面配置部３１３の中心Ｏを通り、手摺端面配置部３１３上における長孔３２１の長手方向（図の上下方向）に直交する仮想軸３１４（以下、端に軸３１４という）回りに回動する。即ち、手摺端面配置部３１３は、前記軸３１４を含む平面であり、手摺保持部本体３０は、ブラケット本体２に対して軸３１４回りに回動可能にブラケット本体２に連結されている。
【００５３】
次に、本体被覆カバー４について説明する。この実施形態の本体被覆カバー４は、ブラケット本体２の支持部５と略同形状の略半円筒状体のものからなり、ブラケット本体２の支持部５の内部を覆うように合されることでブラケット本体２の支持部５と本体被覆カバー４とで外周形状が円形状を呈するものになるようになっている。
【００５４】
この本体被覆カバー４は、中心部に、カバー連結ボルト５０と螺合するメネジ部４１１を備えている。また、本体被覆カバー４は、軸方向の両端部それぞれに、組付部材５２を固定する補助組付部材固定部４１を備えている。
【００５５】
これらの補助組付部材固定部４１は、支持部５の組付部材固定部５１とで組付部材５２を固定するもので、支持部５の組付部材固定部５１と略同一の構成を採っており、固定用溝４１３ａと、組付部材受け部４１３ｂとを備えている。
【００５６】
次に、手摺取付施工治具６について説明する。手摺取付施工治具６は、図６〜図８に示すように、板状片からなる施工治具本体６１と、手摺ブラケット１に手摺取付施工治具６を着脱自在に固定するブラケット固定部６２と、メジャーＭ（図９に図示）の端部に設けられた係止片Ｍ１を係止するメジャー係止部６３とを備えている。
【００５７】
この実施形態では、施工治具本体６１は、その両端部それぞれに、メジャーＭの係止片Ｍ１を引っ掛け得るように形成された引っ掛け片６３１と、引っ掛け片６３１を支持した支持片６３２とを備えている。
【００５８】
支持片６３２は、鉛直片６１１を介して施工治具本体６１の長手方向に延びている。
【００５９】
引っ掛け片６３１は、支持片６３２との間に空間部６３３ができるように折り返されており、引っ掛け片６３１と支持片６３２とが鋭角をなすように連結されている。
【００６０】
ブラケット固定部６２は、ブラケット本体２のボルト挿通孔５１１に嵌合する円柱状の第１嵌合部６２１と、ブラケット本体２の固定用溝５１３ａに嵌合する板状の２つの第２嵌合部６２２とを備えている。これらの第１嵌合部６２１と第２嵌合部６２２とは、施工治具本体６１と一体成形により施工治具本体６１から突設されている。
【００６１】
メジャー係止部６３は、引っ掛け片６３１の先端に形成されている。また、メジャー係止部６３は、ブラケット固定部６２が手摺ブラケット１の支持部５に固定された状態（図７の状態）で、上記軸３１４と同じ位置になるように形成されている。また、このメジャー係止部６３に係止されたメジャーＭの係止片Ｍ１の先端が上記空間部６３３に入り込み得るようになっている。
【００６２】
これにより、メジャーＭの係止片Ｍ１をメジャー係止部６３に回動自在に係止させることができ、例えばブラケット本体２に対して手摺保持部本体３０が回動して手摺保持部本体３０の向きが変わるような場合でも、係止片Ｍ１を回動させてメジャーＭを手摺保持部本体３０の向きに沿って配置して測定できる。
【００６３】
次に、本発明の手摺取付装置を用いて、手摺１１０を建材部としての壁面１２０に取り付ける施工方法について説明する。
【００６４】
まず、例えば図９に示すように、２つのブラケット本体２それぞれの壁面取付部７が位置決めボルト７４及び取付用ボルト７５（図１参照）によって壁面１２０の所定位置に取り付けられる。尚、支持部５と壁面取付部７との組み付けは、壁面取付部７が壁面１２０へ取り付けられる前又は取り付けられた後のいずれでも行うことができる。
【００６５】
この状態で、２つのブラケット本体２それぞれの支持部５に手摺取付施工治具６を固定する。詳しくは、ブラケット本体２のボルト挿通孔５１１に手摺取付施工治具６の第１嵌合部６２１を嵌合するとともに、ブラケット本体２の固定用溝５１３ａに手摺取付施工治具６の第２嵌合部６２２を嵌合する（図８参照）。
【００６６】
そして、一方の手摺取付施工治具６におけるメジャー係止部６３に、メジャーＭの係止片Ｍ１を係止し、他方のメジャー係止部６３までの距離Ｌ１を測定する。
【００６７】
その際、メジャー係止部６３と手摺保持部３の手摺端面配置部３１３との位置が同位置（互いの軸方向の距離が０）に設定されているため、メジャー係止部６３同士の間の距離Ｌ１と手摺端面配置部３１３同士の間の距離が同じになる。従って、手摺端面配置部３１３同士の間の距離を、メジャー係止部６３同士の間の距離Ｌ１を測定することにより、容易に且つ正確に測定できる。
【００６８】
従って、ブラケット本体２に手摺保持部３を組み付けていない状態で手摺端面配置部３１３同士の間の距離の測定を行うことができる。
【００６９】
また、メジャー係止部６３がブラケット本体２に対する手摺保持部３の上記軸３１４と同位置に設定されているため、図８に示すように、ブラケット本体２に対して手摺保持部本体３０が回動しても（例えば図８中の一点鎖線で示す）、メジャー係止部６３が常時手摺保持部３の手摺端面配置部３１３の位置になる。したがって、施工時にブラケット本体２に対して手摺保持部本体３０を回動させる（傾ける）必要がある場合でも、手摺端面配置部３１３同士の間の距離を、メジャー係止部６３同士の間の距離Ｌ１を測定することにより、容易に且つ正確に測定できる。
【００７０】
そして、測定した距離Ｌ１に基づいて、手摺１１０の端部をカットとして手摺１１０を長さ調整する。
【００７１】
その後、手摺保持部３それぞれの手摺収納部３３１に、手摺１１０の端部１１１を収容し、手摺保持部３それぞれに設けられた固定ボルト挿入用孔３２２に、図示しない固定ボルトを挿入して手摺保持部３それぞれと手摺１１０の端部１１１との両者を固定的に組み付ける。
【００７２】
そして、２つのブラケット本体２それぞれから手摺取付施工治具６を外し、手摺１１０と連結させた手摺保持部３それぞれを、ブラケット本体２に組み付ける。
【００７３】
その後、本体被覆カバー４を支持部５に取り付ける。以上で、手摺ブラケット１によって手摺１１０を壁面１２０に装着できる。
【００７４】
次に、図１０〜図１２を用いて、第２実施形態の手摺取付装置について説明する。第２実施形態の手摺取付装置は、第１実施形態のものと同様に、図１０に示す手摺ブラケット２００と、図１２に示す手摺取付施工治具６００とを備えている。
【００７５】
第２実施形態の手摺ブラケット２００は、壁面１２０（図１３、図１４に図示）における所定角度（この実施形態では、略９０°）をなしたコーナー部１２０ａに用いるコーナー用のものであり、例えば図１３、図１４に示すように第１実施形態の手摺ブラケット１と第２実施形態の手摺ブラケット２００とで１本の手摺１１０を保持する。
【００７６】
この第２実施形態のものは、図１０に示すように、第１実施形態のものと同様に、ブラケット本体２０２と、手摺保持部２０３と、本体被覆カバー２０４とを備えている。手摺保持部２０３は、第１実施形態の手摺保持部３と略同一の構成を採っている。
【００７７】
ブラケット本体２０２は、壁面取付部２０７と、支持部２０５とを備えている。壁面取付部２０７は、壁面取付本体部２０７ａと、壁面１２０のコーナー部１２０ａに取り付けられるコーナー取付部２０７ｂとを備えている。壁面取付本体部２０７ａは、第１実施形態の壁面取付部７と略同一の構成のものである。
【００７８】
コーナー取付部２０７ｂは、壁面１２０のコーナー部１２０ａに配置される略直角状の壁面当接部２０７ｃを備えている。このコーナー取付部２０７ｂは、壁面取付本体部２０７ａに先立って壁面１２０のコーナー部１２０ａに、取付用ボルト２７５によって取り付けられる。そして、壁面１２０に取り付けられたコーナー取付部２０７ｂに壁面取付本体部２０７ａが位置決めボルト７４及び取付用ボルト７５によって取り付けられる。
【００７９】
第２実施形態の支持部２０５は、中央部に、円弧状に屈曲した屈曲部２５１ａを備え、この屈曲部２５１ａにボルト挿通孔５１１が形成されている。支持部２０５のその他の構成は、第１実施形態のものと略同一の構成を採っている。
【００８０】
本体被覆カバー２０４は、支持部２０５と略同形状に形成され、支持部２０５に合致し得るように形成されている。
【００８１】
第２実施形態の手摺ブラケット２００の上記以外は、第１実施形態のものと略同一の構成を採っている。
【００８２】
次に、第２実施形態の手摺取付施工治具６００について説明する。第２実施形態の手摺取付施工治具６００は、図１２に示すように、第１実施形態の手摺取付施工治具６と同様に、施工治具本体６６１と、ブラケット固定部６６２と、メジャー係止部６６３とを備えている。
【００８３】
ブラケット固定部６６２は、第１実施形態のものと同一の構成を採っている。詳しくは、ブラケット固定部６６２は、第１嵌合部６２１と、第２嵌合部６２２とを備えている。
【００８４】
第２実施形態の施工治具本体６６１は、ブラケット固定部６６２の第１嵌合部６２１を支持した真直状の中片６６１ａと、中片６６１ａの両端部に形成され、ブラケット固定部６６２の第２嵌合部６２２を支持した端片６６１ｂとを備えている。
【００８５】
端片６６１ｂは、それぞれ、中片６６１ａから両側に延設され、中片６６１ａに対して上記支持部２０５と対応した所定の角度をなしている。これにより、第１嵌合部６２１が支持部２０５のボルト挿通孔５１１に対応する位置に配置されるとともに、第２嵌合部６２２が支持部２０５の固定用溝５１３ａに対応する位置に配置されている（図１２参照）。また、各端片６６１ｂは、引っ掛け片６３１と、支持片６３２とを備えている。そして、引っ掛け片６３１の先端に、メジャー係止部６６３が形成されている。
【００８６】
なお、この第２実施形態では、施工治具本体６１は真直状を呈する中片６６１ａと端片６６１ｂとから構成されたが、この形態のものに限らず、第１嵌合部６２１と第２嵌合部６２２とがそれぞれ、支持部２０５のボルト挿通孔５１１と固定用溝５１３ａとのそれぞれに対応する位置になるように、施工治具本体６６１に支持されるものであればよく、例えば施工治具本体６６１が支持部２０５に対応する、円弧状に屈曲した屈曲部を有するものでもよく、適宜変更できる。
【００８７】
この第２実施形態の手摺取付装置を用いて手摺１１０をコーナー部１２０ａを形成する２つの壁面１２０に取付施工する場合は、例えば次のようにして行うことができる。
【００８８】
例えば図１３に示すように、壁面１２０のコーナー部１２０ａに、第２実施形態の手摺取付装置のブラケット本体２０２を取り付けるとともに、直角に交差する一方の壁面１２０と他方の壁面１２０とのそれぞれに、第１実施形態の手摺取付装置のブラケット本体２を取り付ける。
【００８９】
そして、第２実施形態のブラケット本体２０２に第２実施形態の手摺取付施工治具６００を固定するとともに、２つの第１実施形態の手摺取付装置のブラケット本体２のそれぞれに、第１実施形態の手摺取付施工治具６を固定する。
【００９０】
そして、例えば第２実施形態の手摺取付施工治具６００における一方側のメジャー係止部６３に、メジャーＭの係止片Ｍ１を係止し、一方の壁面１２０に取り付けた一方側の手摺取付施工治具６におけるメジャー係止部６３までの距離Ｌ２を測定し、測定した距離に基づいて、手摺１１０の端部をカットとして一方の壁面１２０に取り付ける手摺１１０を長さ調整する。
【００９１】
また、第２実施形態の手摺取付施工治具６００における他方側のメジャー係止部６３に、メジャーＭの係止片Ｍ１を係止し、他方の壁面１２０に取り付けた他方側の手摺取付施工治具６におけるメジャー係止部６３までの距離Ｌ３を測定し、測定した距離に基づいて、手摺１１０の端部をカットとして他方の壁面１２０に取り付ける手摺１１０を長さ調整する。
【００９２】
その後、第２実施形態の手摺保持部２０３と手摺１１０の一方端部とを固定的に組み付けるとともに、第２実施形態の手摺保持部２０３と手摺１１０の他方端部とを固定的に組み付ける。
【００９３】
そして、各ブラケット本体２、２０２から手摺取付施工治具６、６００を外し、手摺１１０と連結させた手摺保持部３、２０３それぞれを、ブラケット本体２、２０２それぞれに組み付ける。
【００９４】
その後、本体被覆カバー４、２０４をブラケット本体２、２０２に取り付ける。これにより、図１４に示すように第２実施形態の手摺取付装置と第１実施形態の手摺取付装置とを用いて、コーナー部１２０ａを有する壁面１２０に手摺１１０を取り付けることができる。
【００９５】
なお、上記実施形態では、手摺取付施工治具６、６００は、２つのメジャー係止部６３を備えたものとされたが、１つのメジャー係止部６３を備えたものとされてもよく、適宜変更できる。
【００９６】
また、上記実施形態では、ブラケット固定部６２、６６２は、第１嵌合部６２１と第２嵌合部６２２との２つを備えたものとされたが、この形態のものに限らず、例えばブラケット固定部６２、６６２は、１つまたは３つ以上の嵌合部から構成されるものであってもよく、適宜変更できる。
【００９７】
また、上記実施形態のように、ブラケット固定部６２、６６２が第１嵌合部６２１と第２嵌合部６２２とで構成される場合、上記実施形態では、第１嵌合部６２１は、ブラケット本体２、２０２のボルト挿通孔５１１に嵌合し、第２嵌合部６２２がブラケット本体２、２０２の固定用溝５１３ａに嵌合するものとされたが、この形態のものに限らず、第１嵌合部６２１及び第２嵌合部６２２は、ブラケット本体２、２０２の一部に嵌合するものであればよく、適宜変更できる。
【００９８】
また、上記実施形態では、手摺ブラケット１、２００におけるブラケット本体２、２０２が固定用溝５１３ａを備え、手摺保持部３が固定片５２１を備え、固定片５２１が固定用溝５１３ａに嵌り込むことによってブラケット本体２、２０２と手摺保持部３とを連結できるものとされたが、この形態のものに限らず、適宜変更できる。
【００９９】
例えばブラケット本体２、２０２と手摺保持部３とをボルトとナットとによって組み付けることもできる。しかし、ブラケット本体２、２０２と手摺保持部３とをボルトとナットとによって組み付ける場合は、連結作業に時間を要する。そこで、この実施形態では、この課題を解決するために、上記のように構成している。即ち、この実施形態の手摺ブラケット１、２００は、次のように把握することもできる。
【０１００】
手摺ブラケット１、２００は、ブラケット本体２、２０２と、ブラケット本体２、２０２に組み付けされる手摺保持部３とを備え、ブラケット本体２、２０２と手摺保持部３とのいずれか一方が、嵌合部を備え、いずれか他方が、その嵌合部に嵌合される被嵌合部を備えたものである。これにより、嵌合部に被嵌合部を嵌合するだけで、ブラケット本体２、２０２と手摺保持部３とを組み付けでき、ボルトとナットとによって組み付ける場合に比べて組み付け作業を簡単に行うことできる。
【０１０１】
また、手摺ブラケット１、２００は、本体被覆カバー４、２０４を、更に備え、本体被覆カバー２０４は、手摺保持部３が有する嵌合部又は被嵌合部に嵌合する被嵌合部又は嵌合部を備えたものである。これにより、ブラケット本体２、２０２と本体被覆カバー４、２０４とで手摺保持部３を組み付けでき、強固に組み付けできる。
【符号の説明】
【０１０２】
１、２００  手摺ブラケット
２、２０２  ブラケット本体
３、２０３  手摺保持部
６、６００  手摺取付施工治具
３０  手摺保持部本体
５２、２５２  組付部材
６２、６６２  ブラケット固定部
６３、６６３  メジャー係止部
３１３  手摺端面配置部
３１４  仮想軸
５１１  ボルト挿通孔（本体被覆カバー用組み付け部）
５１３ａ  固定用溝（手摺保持部用組み付け部）
６２１  第１嵌合部
６２２  第２嵌合部
１１０  手摺
１１１  端部
１１１ａ  端面
Ｍ  メジャー
Ｍ１  係止片
【図１】
2018150687.tif 000003
【図２】
2018150687.tif 000004
【図３】
2018150687.tif 000005
【図４】
2018150687.tif 000006
【図５】
2018150687.tif 000007
【図６】
2018150687.tif 000008
【図７】
2018150687.tif 000009
【図８】
2018150687.tif 000010
【図９】
2018150687.tif 000011
【図１０】
2018150687.tif 000012
【図１１】
2018150687.tif 000013
【図１２】
2018150687.tif 000014
【図１３】
2018150687.tif 000015
【図１４】
2018150687.tif 000016
【図１５】
2018150687.tif 000017